(57)【要約】  ワイヤレス通信デバイスを開示する。ワイヤレス通信デバイスは、セルラネットワークまたはＩＰネットワークを通しての遠隔通信デバイスに対する通話をサポートするように構成されている。ワイヤレス通信デバイスは、セルラネットワークとＩＰネットワークとの間で通話をハンドオフするようにさらに構成されている。相互動作機能（ＩＷＦ）は、ワイヤレス通信デバイスがセルラネットワークとＩＰネットワークとの間でハンドオフされるときに、ワイヤレス通信デバイスと通信デバイスとの間で通話を維持するように構成されている。【選択図】      図１
2008541512.tif 000002
【特許請求の範囲】
【請求項１】
ワイヤレス通信デバイスにおいて、
セルラネットワークまたはＩＰネットワークを通しての遠隔通信デバイスに対する通話をサポートするように構成されたプロセッサを具備し、前記プロセッサは、前記セルラネットワークと前記ＩＰネットワークとの間で前記通話をハンドオフするようにさらに構成されているワイヤレス通信デバイス。
【請求項２】
前記プロセッサは、前記ワイヤレス通信デバイスのユーザに対してトランスペアレントである方法で、前記セルラネットワークと前記ＩＰネットワークとの間で前記通話をハンドオフするようにさらに構成されている、請求項１記載のワイヤレス通信デバイス。
【請求項３】
前記プロセッサは、前記遠隔通信デバイスとの前記通話をサポートするために前記ネットワークのうちの１つに対する接続を確立することと、前記遠隔通信デバイスとの前記通話を以前にサポートしていた他のネットワークに対する接続を終了させることによって、前記通話をハンドオフするようにさらに構成されている、請求項２記載のワイヤレス通信デバイス。
【請求項４】
前記プロセッサは、前記他のネットワークに対する前記接続が終了される前に、前記ネットワークのうちの前記１つに対する前記接続が確立されたとき、両方のネットワークを通しての前記通話をサポートするようにさらに構成されている、請求項３記載のワイヤレス通信デバイス。
【請求項５】
前記プロセッサは、前記他のネットワークを通しての前記ワイヤレスおよび遠隔通信デバイス間の接続をサポートしているＩＷＦからのシグナリングに応答して、前記ネットワークのうちの前記１つに対する前記接続を確立するようにさらに構成されている、請求項３記載のワイヤレス通信デバイス。
【請求項６】
前記プロセッサは、前記プロセッサが前記ＩＷＦ以外の何らかのソースから信号を受け取る場合、前記ネットワークのうちの前記１つに対する接続を確立しないようにさらに構成されている、請求項５記載のワイヤレス通信デバイス。
【請求項７】
前記プロセッサは、前記シグナリングが前記ＩＷＦからのものであることを示すメッセージが前記プロセッサによって受け取られる場合、前記ネットワークのうちの前記１つに対する前記接続を確立するようにさらに構成されている、請求項５記載のワイヤレス通信デバイス。
【請求項８】
前記メッセージは、通話者ＩＤメッセージまたはＳＭＳメッセージを含む、請求項７記載のワイヤレス通信デバイス。
【請求項９】
前記プロセッサは、前記他のネットワークを通しての前記通話をサポートしている間に、前記ネットワークのうちの１つに対する接続を確立することによって前記通話をハンドオフするようにさらに構成されており、前記プロセッサは、前記接続を使用して、他のネットワークを通しての前記ワイヤレスおよび遠隔通信デバイス間の接続を現在サポートしているＩＷＦに信号を送り、前記ワイヤレス通信デバイスが前記ネットワークのうちの前記１つを通しての前記通話に参加できるようにさらに構成されている、請求項２記載のワイヤレス通信デバイス。
【請求項１０】
前記プロセッサは、前記他のネットワークを通して受け取られた信号に応答して、前記接続を確立して、前記ＩＷＦに信号を送るようにさらに構成されている、請求項９記載のワイヤレス通信デバイス。
【請求項１１】
前記プロセッサは、前記他のネットワークとの接続を終了させることによって前記通話をハンドオフするようにさらに構成されている、請求項９記載のワイヤレス通信デバイス。
【請求項１２】
ワイヤレス通信デバイスから通信する方法において、
セルラネットワークまたはＩＰネットワークを通しての遠隔通信デバイスに対する通話をサポートすることと、
前記セルラネットワークと前記ＩＰネットワークとの間の前記通話をハンドオフすることと
を含む方法。
【請求項１３】
前記セルラネットワークと前記ＩＰネットワークとの間の前記通話のハンドオフは、前記通話中のユーザに対してトランスペアレントである、請求項１２記載の方法。
【請求項１４】
前記通話のハンドオフは、前記遠隔通信デバイスとの前記通話をサポートするために前記ネットワークのうちの１つに対する接続を確立することと、前記遠隔通信デバイスとの前記通話を以前にサポートしていた他のネットワークに対する接続を終了させることとを含む、請求項１３記載の方法。
【請求項１５】
前記通話のハンドオフは、前記他のネットワークに対する前記接続が終了される前に、前記ネットワークのうちの前記１つに対する前記接続が確立されるとき、両方のネットワークを通しての前記通話をサポートすることをさらに含む、請求項１４記載の方法。
【請求項１６】
前記他のネットワークを通しての前記ワイヤレスおよび遠隔通信デバイス間の接続をサポートしているＩＷＦからのシグナリングに応答して、前記ネットワークのうちの前記１つに対する前記接続が確立される、請求項１４記載の方法。
【請求項１７】
前記シグナリングが前記ＩＷＦからのものであることを示すメッセージが受け取られたことに応答して、前記ネットワークのうちの前記１つに対する前記接続が確立される、請求項１６記載の方法。
【請求項１８】
前記メッセージは、通話者ＩＤメッセージまたはＳＭＳメッセージを含む、請求項１７記載の方法。
【請求項１９】
前記通話のハンドオフは、他のネットワークを通しての前記通話をサポートしている間に、前記ネットワークのうちの１つに対する接続を確立することと、前記接続を使用して、前記他のネットワークを通しての前記ワイヤレスおよび遠隔通信デバイス間の接続を現在サポートしているＩＷＦに信号を送り、前記ワイヤレス通信デバイスが前記ネットワークのうちの前記１つを通しての前記通話に参加できるようにすることとを含む、請求項１３記載の方法。
【請求項２０】
前記他のネットワークを通して受け取られた信号に応答して、前記接続が確立され、前記ＩＷＦに信号が送られる、請求項１９記載の方法。
【請求項２１】
前記通話のハンドオフは、前記他のネットワークとの接続を終了させることをさらに含む、請求項１９記載の方法。
【請求項２２】
セルラネットワークまたはＩＰネットワークを通しての遠隔通信デバイスに対する通話をサポートする手段と、
前記セルラネットワークと前記ＩＰネットワークとの間の前記通話をハンドオフする手段と
を具備する、ワイヤレス通信デバイス。
【請求項２３】
前記通話をハンドオフする手段は、前記ワイヤレス通信デバイスのユーザに対してトランスペアレントである方法で、前記セルラネットワークと前記ＩＰネットワークとの間で前記通話をハンドオフするように構成されている、請求項２２記載のワイヤレス通信デバイス。
【請求項２４】
前記通話をハンドオフする手段は、前記遠隔通信デバイスとの前記通話をサポートするために前記ネットワークのうちの１つに対する接続を確立し、前記遠隔通信デバイスとの前記通話を以前にサポートしていた他のネットワークに対する接続を終了させるように構成されている、請求項２３記載のワイヤレス通信デバイス。
【請求項２５】
前記通話をハンドオフする手段は、前記他のネットワークに対する前記接続が終了される前に、前記ネットワークのうちの前記１つに対する前記接続が確立されるとき、両方のネットワークを通しての前記通話をサポートするようにさらに構成されている、請求項２４記載のワイヤレス通信デバイス。
【請求項２６】
前記通話をハンドオフする手段は、前記他のネットワークを通しての前記ワイヤレスおよび遠隔通信デバイス間の接続をサポートしているＩＷＦからのシグナリングに応答して、前記ネットワークのうちの前記１つに対する前記接続を確立するように構成されている、請求項２４記載のワイヤレス通信デバイス。
【請求項２７】
前記通話をハンドオフする手段は、前記通話をハンドオフする手段が前記ＩＷＦ以外の何らかのソースから信号を受け取る場合、前記ネットワークのうちの前記１つに対する接続を確立しないようにさらに構成されている、請求項２５記載のワイヤレス通信デバイス。
【請求項２８】
前記通話をハンドオフする手段は、前記シグナリングが前記ＩＷＦからのものであることを示すメッセージが前記プロセッサによって受け取られる場合、前記ネットワークのうちの前記１つに対する前記接続を確立するようにさらに構成されている、請求項２６記載のワイヤレス通信デバイス。
【請求項２９】
前記メッセージは、通話者ＩＤメッセージまたはＳＭＳメッセージを含む、請求項２８記載のワイヤレス通信デバイス。
【請求項３０】
前記通話をハンドオフする手段は、他のネットワークを通しての前記通話をサポートしている間に、前記ネットワークのうちの１つに対する接続を確立することによって前記通話をハンドオフするようにさらに構成されており、前記プロセッサは、前記接続を使用して、前記他のネットワークを通しての前記ワイヤレスおよび遠隔通信デバイス間の接続を現在サポートしているＩＷＦに信号を送り、前記ワイヤレス通信デバイスが前記ネットワークのうちの前記１つを通しての前記通話に参加できるようにさらに構成されている、請求項２３記載のワイヤレス通信デバイス。
【請求項３１】
前記通話をハンドオフする手段は、前記他のネットワークを通して受け取られた信号に応答して、前記接続を確立して、前記ＩＷＦに信号を送るようにさらに構成されている、請求項３０記載のワイヤレス通信デバイス。
【請求項３２】
前記通話をハンドオフする手段は、前記他のネットワークとの接続を終了させることによって前記通話をハンドオフするようにさらに構成されている、請求項３０記載のワイヤレス通信デバイス。
【請求項３３】
セルラネットワークまたはＩＰネットワークを通しての遠隔通信デバイスに対する通話をサポートし、
前記セルラネットワークと前記ＩＰネットワークとの間の通話をハンドオフするように構成されている、プロセッサ。
【請求項３４】
前記ワイヤレス通信デバイスのユーザに対してトランスペアレントである方法で、前記セルラネットワークと前記ＩＰネットワークとの間で前記通話をハンドオフするようにさらに構成されている、請求項３３記載のプロセッサ。
【請求項３５】
前記遠隔通信デバイスとの前記通話をサポートするために前記ネットワークのうちの１つに対する接続を確立することと、前記遠隔通信デバイスとの前記通話を以前にサポートしていた他のネットワークに対する接続を終了させることによって、前記通話をハンドオフするようにさらに構成されている、請求項３４記載のプロセッサ。
【請求項３６】
前記他のネットワークに対する前記接続が終了される前に、前記ネットワークのうちの前記１つに対する前記接続が確立されたとき、両方のネットワークを通しての前記通話をサポートするようにさらに構成されている、請求項３５記載のプロセッサ。
【請求項３７】
前記他のネットワークを通しての前記ワイヤレスおよび遠隔通信デバイス間の接続をサポートしているＩＷＦからのシグナリングに応答して、前記ネットワークのうちの前記１つに対する前記接続を確立するようにさらに構成されている、請求項３５記載のプロセッサ。
【請求項３８】
前記プロセッサが前記ＩＷＦ以外の何らかのソースから信号を受け取る場合、前記ネットワークのうちの前記１つに対する接続を確立しないようにさらに構成されている、請求項３７記載のプロセッサ。
【請求項３９】
前記シグナリングが前記ＩＷＦからのものであることを示すメッセージが前記プロセッサによって受け取られる場合、前記ネットワークのうちの前記１つに対する前記接続を確立するようにさらに構成されている、請求項３７記載のプロセッサ。
【請求項４０】
前記メッセージは、通話者ＩＤメッセージまたはＳＭＳメッセージを含む、請求項３９記載のプロセッサ。
【請求項４１】
他のネットワークを通しての前記通話をサポートしている間に、前記ネットワークのうちの１つに対する接続を確立することによって前記通話をハンドオフするようにさらに構成されており、前記プロセッサは、前記接続を使用して、前記他のネットワークを通しての前記ワイヤレスおよび遠隔通信デバイス間の接続を現在サポートしているＩＷＦに信号を送り、前記ワイヤレス通信デバイスが前記ネットワークのうちの前記１つを通しての前記通話に参加できるようにさらに構成されている、請求項３４記載のプロセッサ。
【請求項４２】
前記他のネットワークを通して受け取られた信号に応答して、前記接続を確立して、前記ＩＷＦに信号を送るようにさらに構成されている、請求項４１記載のプロセッサ。
【請求項４３】
前記他のネットワークとの接続を終了させることによって前記通話をハンドオフするようにさらに構成されている、請求項４１記載のプロセッサ。
【請求項４４】
通信の方法を実行するプロセッサに対する１組の命令を含んでいる、コンピュータ読取可能記憶媒体において、前記方法は、
セルラネットワークまたはＩＰネットワークを通しての遠隔通信デバイスに対する通話をサポートすることと、
前記セルラネットワークと前記ＩＰネットワークとの間の前記通話をハンドオフすることと
を含む、コンピュータ読取可能記憶媒体。
【請求項４５】
前記セルラネットワークと前記ＩＰネットワークとの間の前記通話のハンドオフは、前記通話中のユーザに対してトランスペアレントである、請求項４４記載のコンピュータ読取可能記憶媒体。
【請求項４６】
前記通話のハンドオフは、前記遠隔通信デバイスとの前記通話をサポートするために前記ネットワークのうちの１つに対する接続を確立することと、前記遠隔通信デバイスとの前記通話を以前にサポートしていた他のネットワークに対する接続を終了させることとを含む、請求項４５記載のコンピュータ読取可能記憶媒体。
【請求項４７】
前記通話のハンドオフは、前記他のネットワークに対する前記接続が終了される前に、前記ネットワークのうちの前記１つに対する前記接続が確立されたとき、両方のネットワークを通しての前記通話をサポートすることをさらに含む、請求項４６記載のコンピュータ読取可能記憶媒体。
【請求項４８】
前記他のネットワークを通しての前記ワイヤレスおよび遠隔通信デバイス間の接続をサポートしているＩＷＦからのシグナリングに応答して、前記ネットワークのうちの前記１つに対する前記接続が確立される、請求項４６記載のコンピュータ読取可能記憶媒体。
【請求項４９】
前記シグナリングが前記ＩＷＦからのものであることを示すメッセージが受け取られたことに応答して、前記ネットワークのうちの前記１つに対する前記接続が確立される、請求項４８記載のコンピュータ読取可能記憶媒体。
【請求項５０】
前記メッセージは、通話者ＩＤメッセージまたはＳＭＳメッセージを含む、請求項４９記載のコンピュータ読取可能記憶媒体。
【請求項５１】
前記通話のハンドオフは、他のネットワークを通しての前記通話をサポートしている間に、前記ネットワークのうちの１つに対する接続を確立することと、前記接続を使用して、前記他のネットワークを通しての前記ワイヤレスおよび遠隔通信デバイス間の接続を現在サポートしているＩＷＦに信号を送り、前記ワイヤレス通信デバイスが前記ネットワークのうちの前記１つを通しての前記通話に参加できるようにすることとを含む、請求項４５記載のコンピュータ読取可能記憶媒体。
【請求項５２】
前記他のネットワークを通して受け取られた信号に応答して、前記接続が確立され、前記ＩＷＦに信号が送られる、請求項５１記載のコンピュータ読取可能記憶媒体。
【請求項５３】
前記通話のハンドオフは、前記他のネットワークとの接続を終了させることをさらに含む、請求項５１記載のコンピュータ読取可能記憶媒体。
【請求項５４】
相互動作機能（ＩＷＦ）において、
ワイヤレス通信デバイスがセルラネットワークとＩＰネットワークとの間でハンドオフされるときに、前記ワイヤレス通信デバイスと通信デバイスとの間で通話を維持するように構成されているプロセッサを具備するＩＷＦ。
【請求項５５】
前記プロセッサは、３方向会議通話機能を提供するようにさらに構成され、前記プロセッサは、前記ネットワークのうちの１つを通しての既存の通話中へと、他のネットワークを通して前記ワイヤレス通信デバイスを会議通話参加させることによって、前記ワイヤレスデバイスのハンドオフをサポートするようにさらに構成されている、請求項５４記載のＩＷＦ。
【請求項５６】
前記プロセッサは、前記他のネットワークを通しての前記ワイヤレスデバイスに対する接続を終了させることによって、前記ワイヤレスデバイスのハンドオフをサポートするようにさらに構成されている、請求項５５記載のＩＷＦ。
【請求項５７】
前記プロセッサは、前記３方向会議通話が維持されている間に、前記ネットワークの前記１つを通してのトラフィックを抑制するようにさらに構成されている、請求項５６記載のＩＷＦ。
【請求項５８】
相互動作機能（ＩＷＦ）において、
セルラネットワークとＩＰネットワークとの間のワイヤレスデバイスのハンドオフをサポートする手段と、
前記セルラネットワークと前記ＩＰネットワークとの間で前記ワイヤレス通信デバイスがハンドオフされるときに、前記ワイヤレス通信デバイスと通信デバイスの間で通話を維持する手段と
を具備するＩＷＦ。
【請求項５９】
前記ワイヤレス通信デバイスが前記セルラネットワークと前記ＩＰネットワークとの間でハンドオフされるときに、前記ワイヤレス通信デバイスと前記通信デバイスとの間で前記通話を維持する３方向会議通話機能を提供する手段をさらに具備し、前記３方向会議手段は、前記ネットワークのうちの１つを通しての既存の通話中へと、他のネットワークを通して前記ワイヤレス通信デバイスを会議通話参加させることによって、前記ワイヤレスデバイスのハンドオフをサポートするように構成されている、請求項５８記載のＩＷＦ。
【請求項６０】
前記ハンドオフをサポートする手段は、前記他のネットワークを通しての前記ワイヤレスデバイスに対する接続を終了させることにより、前記ワイヤレスデバイスのハンドオフをサポートするようにさらに構成されている、請求項５９記載のＩＷＦ。
【請求項６１】
前記３方向会議通話が維持されている間に、前記ネットワークの前記１つを通してのトラフィックを抑制する手段をさらに具備する、請求項６０記載のＩＷＦ。
【請求項６２】
ＩＷＦのためのプロセッサにおいて、
セルラネットワークとＩＰネットワークとの間のワイヤレスデバイスのハンドオフをサポートし、
前記セルラネットワークと前記ＩＰネットワークとの間で前記ワイヤレス通信デバイスがハンドオフされるときに、前記ワイヤレス通信デバイスと通信デバイスの間で通話を維持するように構成されたプロセッサ。
【請求項６３】
３方向会議通話機能を提供するようにさらに構成され、前記プロセッサは、前記ネットワークのうちの１つを通しての既存の通話中へと、他のネットワークを通して前記ワイヤレス通信デバイスを会議通話参加させることによって、前記ワイヤレスデバイスのハンドオフをサポートするようにさらに構成されている、請求項６２記載のプロセッサ。
【請求項６４】
前記他のネットワークを通しての前記ワイヤレスデバイスに対する接続を終了させることによって、前記ワイヤレスデバイスのハンドオフをサポートするようにさらに構成されている、請求項６３記載のプロセッサ。
【請求項６５】
前記３方向会議通話が維持されている間に、前記ネットワークの前記１つを通してのトラフィックを抑制するようにさらに構成されている、請求項６４記載のプロセッサ。
【請求項６６】
ＩＷＦからの通信をサポートする方法において、
セルラネットワークとＩＰネットワークとの間のワイヤレスデバイスのハンドオフをサポートすることと、
前記セルラネットワークと前記ＩＰネットワークとの間で前記ワイヤレス通信デバイスがハンドオフされるときに、前記ワイヤレス通信デバイスと通信デバイスの間で通話を維持することと
を含む方法。
【請求項６７】
前記ワイヤレス通信デバイスが前記セルラネットワークと前記ＩＰネットワークとの間でハンドオフされるときに、前記ワイヤレス通信デバイスと前記通信デバイスとの間で前記通話を維持する３方向会議通話機能を提供することをさらに含み、前記３方向会議は、前記ネットワークのうちの１つを通しての既存の通話中へと、他のネットワークを通して前記ワイヤレス通信デバイスを会議通話参加させることによって、前記ワイヤレスデバイスのハンドオフをサポートするように構成されている、請求項６６記載の方法。
【請求項６８】
前記他のネットワークを通しての前記ワイヤレスデバイスに対する接続を終了させることによって、前記ワイヤレスデバイスのハンドオフがサポートされる、請求項６７記載の方法。
【請求項６９】
前記３方向会議通話が維持されている間に、前記ネットワークの前記１つを通してのトラフィックを抑制することをさらに含む、請求項６８記載の方法。
【請求項７０】
通信の方法を実行するプロセッサに対する１組の命令を含んでいる、コンピュータ読取可能記憶媒体において、前記方法は、
セルラネットワークとＩＰネットワークとの間のワイヤレスデバイスのハンドオフをサポートすることと、
前記セルラネットワークと前記ＩＰネットワークとの間で前記ワイヤレス通信デバイスがハンドオフされるときに、前記ワイヤレス通信デバイスと通信デバイスとの間で通話を維持することと
を含むコンピュータ読取可能記憶媒体。
【請求項７１】
前記方法は、前記ワイヤレス通信デバイスが前記セルラネットワークと前記ＩＰネットワークとの間でハンドオフされるときに、前記ワイヤレス通信デバイスと前記通信デバイスとの間で前記通話を維持する３方向会議通話機能を提供することをさらに含み、前記３方向会議は、前記ネットワークのうちの１つを通しての既存の通話中へと、他のネットワークを通して前記ワイヤレス通信デバイスを会議通話参加させることによって、前記ワイヤレスデバイスのハンドオフをサポートするように構成されている、請求項７０記載のコンピュータ読取可能記憶媒体。
【請求項７２】
前記他のネットワークを通しての前記ワイヤレスデバイスに対する接続を終了させることによって、前記ワイヤレスデバイスのハンドオフがサポートされる、請求項７１記載のコンピュータ読取可能記憶媒体。
【請求項７３】
前記方法は、前記３方向会議通話が維持されている間に、前記ネットワークの前記１つを通してのトラフィックを抑制することをさらに含む、請求項７２記載のコンピュータ読取可能記憶媒体。
【発明の詳細な説明】
【関連出願】
【０００１】
本出願は２００５年４月２８日に出願され、“ＩＰ対ワイヤレスハンドオフ”と題する米国仮出願シリアル番号第６０/６７６，０８３号に対して優先権を主張し、その内容はここに参照により組み込まれている。
【発明の分野】
【０００２】
本開示は一般的に通信に関連し、さらに詳細には、複数のワイヤレスネットワーク間のワイヤレスハンドオフに関連する。
【発明の背景】
【０００３】
情報に対する移動体アクセスの要求は、絶えず増加する数のワイヤレスネットワークの開発をもたらした。標準規格をサポートする２つのワイヤレスデバイスがネットワークを通して自由に通信できるようにするワイヤレス通信標準規格が各ワイヤレスネットワークに関係付けられている。ＣＤＭＡ２０００ １ｘは、広域電話通信およびデータサービスを提供するワイヤレス通信標準規格の１つの例にすぎない。第３世代パートナーシッププロジェクト２（３ＧＰＰ２）により公表された、ＣＤＭＡ２０００ １ｘは、コード分割多元接続（ＣＤＭＡ）に基づいたワイヤレス通信標準規格である。ＣＤＭＡは、拡散スペクトル処理を使用して、複数のユーザが共通通信メディアを共有できるようにする技術である。
【０００４】
現在、ＣＤＭＡ２０００ １ｘに加えて、他の数多くのワイヤレス通信標準規格が存在する。例として、ＣＤＭＡ２０００ １ｘＥＶ−ＤＯは、ＣＤＭＡ技術を使用するデータ送信に最適化されたワイヤレス通信標準規格である。移動体通信のためのグローバルシステム（ＧＳＭ）は、ヨーロッパにおいて共通して採用されている、他のワイヤレス通信標準規格である。ＣＤＭＡ２０００ １ｘおよびＣＤＭＡ２０００ １ｘＥＶ−ＤＯとは異なって、ＧＳＭは狭帯域時分割多元接続（ＴＤＭＡ）を使用して、ワイヤレス電話通信およびデータサービスをサポートする。ＧＳＭに対する拡張データの進化（ＥＤＧＥ）は、高速データ送信を取り扱うために設計されたＧＳＭプロトコルのさらなる発展である。いくつかの他のワイヤレス通信標準規格は、ｅメールとウェブ閲覧アプリケーションに適しているデータレートを有する高速データサービスをサポートする、汎用パケット無線サービス（ＧＰＲＳ）と、オーディオおよびビデオアプリケーション用に広帯域音声およびデータを配信することができる、ユニバーサル移動体通信システム（ＵＭＴＳ）とを含む。
【０００５】
これらのワイヤレス通信標準規格は、一般的にセルラネットワークを通して使用される。用語“セルラネットワーク”は、提供されるサービスのタイプにかかわらず、サービスエリアがセルラ領域へと分割されている任意のワイヤレスネットワークをカバーすることを意図している。したがって、ここで使用するセルラネットワークは、セルラサービス、個人通信サービス（ＰＣＳ）、または、他の任意のタイプのサービスを提供する任意のセルラトポロジを含む。さらに、セルラネットワークは、例として、ＣＤＭＡ、広帯域ＣＤＭＡ（ＷＣＤＭＡ）、直接拡散方式ＣＤＭＡ（ＤＳ−ＣＤＭＡ）、ＴＤＭＡ、周波数分割多元接続（ＦＤＭＡ）、直交周波数分割多元接続（ＯＦＤＭＡ）または、これらに類似する物を含む１つ以上の多元接続技術を組み込む任意の適切なワイヤレス通信標準規格に基づいていてもよい。
【０００６】
情報に対するワイヤレスアクセスの要求が増加し続けているので、ワイヤレス通信デバイスは、セルラおよびインターネットプロトコル（ＩＰ）ネットワーク間のシームレスなネットワークカバレッジを提供しつつ、統合された音声、データおよびストリーミングメディアをサポートするように進化している。これらのＩＰネットワークは、ワイヤレスローカルエリアネットワーク（ＬＡＮ）中に存在している１つ以上のアクセスポイント（ＡＰ）を通してワイヤレスデバイスによりアクセスされてもよい。一般的に、複数のワイヤレスＬＡＮはセルラネットワークにわたって分散されている。これらのＬＡＮは、例として、ＷｉＦｉ、ＷｉＭａｘ、Ｂｌｕｅｔｏｏｔｈ（登録商標）、ＨｏｍｅＲＦ、超広帯域無線（ＵＷＢ）、または、これらに類似する物を含む、任意の適切なワイヤレスデータネットワークプロトコルを使用してもよい。
【０００７】
セルラネットワーク中のワイヤレスＬＡＮの存在は、ＩＰネットワークのインフラストラクチャに対してセルラ通信を拡張することによりユーザ容量を増加させる唯一の機会を提供する。ある状況下では、ＩＰネットワークを通して通信をルーティングすることにより、費用の節約を実現してもよい、しかしながら、このアプローチの商業的な実行可能性は、これらのネットワークにわたってアクティブ通話を維持する能力に大いに依拠する。
【発明の概要】
【０００８】
ワイヤレス通信デバイスを開示する。ワイヤレス通信デバイスは、セルラネットワークまたはＩＰネットワークを通しての遠隔通信デバイスに対する通話をサポートするように構成されている。ワイヤレス通信デバイスは、セルラネットワークとＩＰネットワークとの間で通話をハンドオフするようにさらに構成されている。相互動作機能（ＩＷＦ）は、ワイヤレス通信デバイスがセルラネットワークとＩＰネットワークとの間でハンドオフされるときに、ワイヤレス通信デバイスと通信デバイスとの間で通話を維持するように構成されている。
【０００９】
本発明の他の実施形態は、以下の詳細な説明から当業者にとって容易に明らかになり、以下の詳細な説明では例示としてのみ、本発明のさまざまな実施形態を示し、説明したことが理解される。本発明の精神と範囲を逸脱することなく、本発明は他のおよび異なる実施形態に適用し得ることと、そのいくつかの詳細はさまざまな他の観点で修正し得ることとが理解されるだろう。したがって、添付の図面および詳細な説明は例示的なものであって、制限的なものではないとして考えるべきである。
【００１０】
ワイヤレス通信システムのさまざまな観点を添付の図面において、制限としてではなく、例として図示する。
【実施形態の詳細な説明】
【００１１】
添付の図面と関連して以下で述べる詳細な説明は、本発明のさまざまな実施形態を説明することを意図しており、本発明を実現してもよい唯一の実施形態を表すことを意図していない。詳細な説明は、本発明の完全な理解をもたらす目的のために特定の詳細を含んでいる。しかしながら、本発明はこれらの特定の詳細説明なしで実現されてもよいことが当業者に明らかになるだろう。いくつかの例では、本発明の概念をあいまいにすることを避けるために、周知の構造および構成部品をブロック図の形態で示した。
【００１２】
以下の詳細な説明において、セルラカバレッジ領域にわたって拡散された１つ以上のワイヤレスＬＡＮを備えるセルラネットワークを通して移動しているワイヤレスデバイスに関連して、さまざまな技術を説明する。このような技術はこれらの適用によく適しているが、複数のネットワークのさまざまな組み合わせにアクセス可能なワイヤレスデバイスに対して、これらの技術を拡張できることを当業者は容易に理解するだろう。例として、これらの技術は、ＣＤＭＡ２０００ １ｘネットワークおよびＧＳＭネットワークの間で切り替え可能なワイヤレスデバイスに対して適用することができる。したがって、セルラまたはＩＰネットワークと通信することができるワイヤレスデバイスに対する何らかの参照は、これらの観点は広範囲の適用を持つという理解の下で、本発明のさまざまな観点を示すことのみを意図している。
【００１３】
図１は通信システムの実施形態の概念ブロック図である。連続した破線によって、ワイヤレスデバイス１００がセルラネットワーク１０２を通して移動することを示した。セルラネットワーク１０２は一般的に、多数のセルからなっているが、簡潔性のために単一のセル１０４のみを図１に示した。セル１０４内に位置しているのは、ベーストランシーバ局（ＢＴＳ）１０８であり、ＢＴＳ１０８は、固定サイトに配置された１つ以上のトランシーバを含み、１つ以上のトランシーバは、ＣＤＭＡ２０００ １ｘ、ＣＤＭＡ２０００ １ｘＥＶ−ＤＯ、ＧＳＭ、ＥＤＧＥ、ＧＰＲＳ、ＵＭＴＳ、または、現在知られているもしくは将来開発される他の任意の適切なワイヤレス通信標準規格のような、任意の適切なワイヤレス通信標準規格を使用して、セル１０４を通して無線カバレッジを提供する。セルラネットワーク１０２は、セルラネットワーク１０２にわたって拡散されたＢＴＳの無線リソースを割り当てし、管理することができる、基地局制御装置（ＢＳＣ）１０６も含む。相互動作機能（ＩＷＦ）は、移動体交換局（ＭＳＣ）１１０を含んでいてもよく、公衆電話交換網（ＰＳＴＮ）１１２に対するアクセスをワイヤレスデバイス１００に提供するのに使用してもよい。用語“ＩＷＦ”は、２つの異なる技術が相互動作するための手段を提供する何らかのエンティティを含むとして広く解釈されることを意図している。
【００１４】
セルラネットワーク１０２は、また、セル１０４中のワイヤレスＬＡＮ１１４とともに示したが、セル１０４またはネットワーク１０２中の他の任意の場所に位置された任意の数のワイヤレスＬＡＮを持っていてもよい。ワイヤレスＬＡＮ１１４は、例として、ＷｉＦｉ、ＷｉＭａｘ、Ｂｌｕｅｔｏｏｔｈ、ＨｏｍｅＲＦ、超広帯域無線（ＵＷＢ）、または、これらに類似する物を含む、任意の適切なワイヤレスデータネットワークプロトコルを使用してもよい。ワイヤレスＬＡＮ１１４は、ワイヤレスデバイス１００がＩＰネットワーク１１８に接続することを可能にするＡＰ１１６を含む。相互動作機能（ＩＷＦ）１２０は、ボイスオーバーＩＰ（ＶｏＩＰ）および他の通信のために、公衆電話交換網（ＰＳＴＮ）１１２に対するワイヤレスアクセスをワイヤレスデバイス１００に提供してもよい。ＩＷＦ１２０は、セッション開始プロトコル（ＳＩＰ）、または、ＩＰネットワーク１１８を通してワイヤレスデバイスとの通話を確立、維持、終了させる他の適切なプロトコルを使用してもよい。
【００１５】
ワイヤレスデバイス１００は、例として、ワイヤレス電話機、パーソナルデジタルアシスタント（ＰＤＡ）、ラップトップコンピュータ、モデム、ゲームコンソール、または、これらに類似する物を含む、ワイヤレス電話通信および／またはデータ通信することができる任意の通信デバイスであってもよい。ワイヤレスデバイス１００は、セルラネットワーク１０２およびＩＰネットワーク１１８それぞれを通して、地上線１２６のような遠隔通信デバイスと通話を維持することができる。１つの実施形態では、ワイヤレスデバイス１００は、地上線電話機１２６（または、他の遠隔通信デバイス）がセルラネットワーク１０２またはＩＰネットワーク１１８を通して、ワイヤレスデバイス１００にアクセスできるようにする、セルラ電話機番号およびＩＰ電話番号を持つ。
【００１６】
ＭＳＣ１１０およびＩＷＦ１２０と通信するとして、メディアゲートウェイ１２２を示した。セルラユーザがワイヤレスＬＡＮサービスに加入するとき、ワイヤレスデバイスのセルラおよびＩＰ電話番号は、メディアゲートウェイ中に備えられる。後により詳細に説明する方法で、これらの電話番号をメディアゲートウェイ１２２によって使用して、アクティブな通話中に、セルラネットワーク１０２とＩＰネットワーク１１８との間でワイヤレスデバイス１００のハンドオフを容易にする。メディアゲートウェイ１２２は、図１に示したように独立したエンティティであってもよく、または、代わりにＩＷＦ１２０に統合されてもよく、あるいは、ＩＰネットワーク１１８の一部分であってもよい。
【００１７】
ワイヤレスデバイス１００がワイヤレスＬＡＮ１１４のカバレッジ領域に移動するとき、ワイヤレスデバイス１００はＡＰ１１６からのビーコン信号を検出する。ビーコン信号を使用して、ワイヤレスデバイス１００はＩＰネットワーク１１８に対するアクセスを得るためにＡＰ１１６とのワイヤレスリンクを確立する。いったん、このことが起こると、ＩＷＦ１２０は、ＰＳＴＮ１１２を通してワイヤレスデバイス１００を地上線電話機１２６に接続して、通話をサポートできる。例として、地上線電話機１２６上のユーザがワイヤレスデバイスのＩＰ電話番号をダイヤルするとき、通話はＰＳＴＮ１１２によって、ＩＷＦ１２０にルーティングされる。次に、ＩＷＦ１２０は、ページを使用してワイヤレスデバイス１００に信号送信して、ワイヤレスデバイス１００と地上線電話機１２６との間の終端間の接続を確立し、ＩＰネットワーク１１８を通しての通話をサポートする。
【００１８】
いったんＩＰネットワーク１１２を通してワイヤレスデバイス１１０と地上線電話機１２６との間の通話が確立されると、メディアゲートウェイ１２２は、ＩＰネットワーク１１２を通してサービス品質を監視し始める。代わりに、通信システム中の他のエンティティがこの機能を実行して結果をメディアゲートウェイ１２２に報告し戻してもよい。任意のイベント中で、サービス品質があるレベルを下回るとき、メディアゲートウェイ１２２は、ワイヤレスデバイス１００がワイヤレスＬＡＮ１１４のカバレッジ領域の外に移動したことを決定し、セルラネットワーク１０２に対して通話のハンドオフを開始する。
【００１９】
メディアゲートウェイ１２２によってサービス品質が監視される方法は、特定の適用、性能パラメータ、全体の設計制約、および通信システムの設計に関連する他の要因に依拠して異なっていてもよい。メディアゲートウェイ１２２の１つの実施形態では、ＩＷＦ１２０において音声パケットの到着を監視することにより、ＶｏＩＰ通信に対するサービス品質を決定してもよい。ワイヤレスデバイスで採用されるほとんどのボコーダはパケットの連続的な流れを発生させるので、この連続的な流れの分断が、ワイヤレスデバイス１０４がワイヤレスＬＡＮ１１４のカバレッジ領域を超えて移動したことの、かなりよい指標を提供する。メディアゲートウェイ１２２の他の実施形態では、ＩＰネットワーク１１８を通して遅延、ジッタ、および／またはパケット損失を監視することにより、ＶｏＩＰ通信に対するサービス品質を決定してもよい。この実施形態では、たとえワイヤレスデバイス１００がワイヤレスＬＡＮ１１８のカバレッジ領域内にある場合でも、過剰な遅延、ジッタ、および／または損失パケットのため、ネットワーク接続が悪い場合は、メディアゲートウェイ１２２はセルラネットワーク１０２に対してハンドオフを開始してもよい。
【００２０】
メディアゲートウェイ１２２によって、ＩＷＦ１２０にハンドオフ要求を送ることにより、ＩＰネットワーク１１８からセルラネットワーク１０２に対して、ワイヤレスデバイス１００と地上線電話機１２６との間の通話のハンドオフを開始してもよい。ハンドオフ要求に応答して、ＩＷＦ１２０は、３方向会議通話をエミュレートする、ある機能を提供することによって、ソフトハンドオフを調整してもよい。特に、ソフトハンドオフは、セルラネットワーク１０２を通してのワイヤレス通信デバイスを既存の通話に会議通話参加させることによって、そして、ＩＰネットワーク１１８を通してのワイヤレスデバイス１００を通話から切り離すことによって実行される。いったんワイヤレスデバイス１００がセルラネットワーク１０２を通しての通話へと会議通話参加させられると、ＩＷＦ１２０は、ワイヤレスデバイス１００がＩＰネットワーク１１８を通しての通話から切り離されるまで、セルラネットワーク１０２を通してのトラフィックを抑制する。
【００２１】
ＩＷＦ１２０は、ワイヤレスデバイス１２０に対するセルラ電話番号をメディアゲートウェイ１２２から取得することと、セルラネットワーク１０２を通してワイヤレスデバイス１００に信号送信するのにセルラ電話番号を使用することとによって、ソフトハンドオフを調整する。ＩＷＦ１２０がワイヤレスデバイスのセルラ番号をダイヤルすることによってワイヤレスデバイス１００に信号送信するとき、このことはＩＷＦ１２０とＭＳＣ１１０との間の接続をＰＳＴＮ１１２にセットアップさせる。ＭＳＣ１１０は、ワイヤレスデバイス１００をページングするために、シグナリングメッセージをＢＴＳ１０８に送るようにＢＳＣ１０６を促す。ＳＭＳメッセージがＩＷＦ１２０によりワイヤレスデバイス１００に送られてもよく、たとえ、ワイヤレスデバイス１００がＩＰネットワーク１１８を通して他の通話で現在話中であったとしても、ページに答えるようにワイヤレスデバイス１００に指示し、ネットワーク間のシームレスな移行を確実にするために、ユーザに対してトランスペアレントである方法で、ページに答えるようにワイヤレスデバイス１００に指示する。代わりに、ＩＷＦ１２０は通話者ＩＤまたはいくつかの他の方法を使用して、ページが類似の方法で答えられるべきであることを、ワイヤレスデバイス１００に示してもよい。任意のイベントにおいて、ワイヤレスデバイス１００は、ページに応答して、ＢＴＳ１０８との適切なトラフィックチャネルおよび制御チャネルを確立し、このことはＩＷＦ１２０がセルラネットワーク１０２を通してワイヤレスデバイス１００を通話中に会議通話参加させることを可能にする。いったんこの接続が確立されると、ＩＷＦ１１８はＩＰネットワーク１１８を通してのワイヤレスデバイス１００との接続を終了させることにより、ハンドオフを完了することができる。ハンドオフが完了されたとき、地上線電話機１２６とＭＳＣ１１０との間のトラフィックはＩＷＦ１２０を通してルーティングされる。
【００２２】
ＩＷＦ１２０の他の実施形態では、セルラネットワーク１２０に対して通話のハードハンドオフを実行してもよい。ハードハンドオフはソフトハンドオフとちょうど同じように開始し、ＩＷＦ１２０がワイヤレスデバイス１００に対するセルラ電話番号をメディアゲートウェイ１２２から取得し、セルラ電話番号を使用して、セルラネットワーク１０２上でワイヤレスデバイス１００に通話する。しかし、主な違いは、ＩＷＦ１２０が、ＩＰネットワーク１１８を通しての地上線電話機１２６とワイヤレスデバイス１００との間の接続を即座に終了させることであり、したがって、地上線電話機１２６がセルラネットワークを通してワイヤレスデバイス１００に接続されるまで短い切断が生じる。いったん接続されると、セルラネットワーク１０２を通しての地上線電話機１２６とワイヤレスデバイス１００との間のすべてのトラフィックは、ＩＷＦ１２０を通してルーティングされる。さらに、セルラネットワーク１０２を通してのＩＷＦ１２０からワイヤレスデバイス１００に対する通話は、ネットワーク間のシームレスな移行を作り出すためにユーザに対してトランスペアレントであるべきである。
【００２３】
代わりに、ワイヤレスデバイス１００が、セルラネットワーク１０２に対する通話のハンドオフの調整を担当してもよい。この代替実施形態では、メディアゲートウェイ１２２によって、ＩＰネットワーク１１８を通してワイヤレスデバイス１００に対してハンドオフ要求を信号送信することによりハンドオフが開始される。応答して、ワイヤレスデバイス１００はＢＴＳ１０８とのトラフィックチャネルおよび制御チャネルを確立し、次にＩＷＦの電話番号を使用して、セルラネットワーク１０２を通してＩＷＦ１２０との接続を確立する。ＩＰネットワーク１１８を通して通話がセットアップされるときに、ＩＷＦ１２０の電話番号がワイヤレスデバイス１００に提供されてもよい。ソフトハンドオフのケースでは、ＩＰネットワーク１１８を通しての地上線電話機１２６とワイヤレスデバイス１００との間の接続は、セルラネットワーク１０２を通してワイヤレスデバイスが通話中へと会議通話参加した後に終了される。ハードハンドオフのケースでは、ＩＰネットワーク１１８を通しての地上線電話機１２６とワイヤレスデバイス１００との間の接続は、セルラネットワーク１０２を通してのこの２つの間の接続が成立する前に終了されてもよい。
【００２４】
これまでに説明した通信システムのさまざまな実施形態において、ＩＰネットワーク１１８を通してのサービス品質が、あるレベルを下回るときに、メディアゲートウェイ１２２はハンドオフを開始する。代替実施形態では、ワイヤレスデバイス１００がハンドオフを開始してもよい。この実施形態では、例として、信号強度、ビット誤り率、搬送波対干渉雑音比、等を含む１つ以上のパラメータを監視することにより、ワイヤレスデバイス１００がワイヤレスリンクの品質を決定する。ワイヤレスリンクの品質が許容不可能であるとしてワイヤレスデバイス１００が決定するとき、ワイヤレスデバイス１００は、ＩＰネットワーク１１８を通してハンドオフ要求を送ることによりＩＷＦ１２０に信号送信する。応答して、ＩＷＦ１２０は、前述の任意の方法、または、他の任意の適切な方法で、セルラネットワーク１０２を通してワイヤレスデバイス１００を既存の通話に接続する。
【００２５】
地上線電話機１２６とワイヤレスデバイス１００との間のアクティブ通話は、また、セルラネットワーク１０２からＩＰネットワーク１１８にハンドオフすることができる。この例では、地上線電話機１２６上でワイヤレスデバイスのセルラ番号をダイヤルすることにより、最初にワイヤレスデバイス１００に対して通話をかけてもよい。通話はＰＳＴＮ１１２によってＭＳＣ１１０に対してルーティングされ、ＭＳＣ１１０は、ワイヤレスデバイス１００をページングするために、シグナリングメッセージをＢＴＳ１０８に送るように、ＢＳＣ１０６を促す。ワイヤレスデバイス１００がＢＴＳ１０８との適切なトラフィックチャネルおよび制御チャネルを確立し、ＭＳＣ１１０はワイヤレスデバイス１００と地上線電話機１２６との間の通話を接続する。
【００２６】
ワイヤレスデバイス１００がワイヤレスＬＡＮ１１４のカバレッジ領域へと移動するとき、ワイヤレスデバイス１００はＡＰ１１６からのビーコン信号を検出する。ビーコン信号を使用して、ワイヤレスデバイス１００はＡＰ１１６とのワイヤレスリンクを確立し、ＩＰネットワーク１１８に対するアクセスを得る。いったん、このことが起こると、ワイヤレスデバイス１００は、通話のセットアップの間にセルラネットワーク１０２を通してワイヤレスデバイス１００が受信したＭＳＣ１１０に対する電話番号を使用して、ＩＰネットワーク１１８を通してのＭＳＣ１１０との接続を確立する。
【００２７】
代わりに、いったんＡＰ１１６とのワイヤレスリンクが確立されると、ワイヤレスデバイス１００はセルラネットワーク１０２を通してＭＳＣ１１０にハンドオフ要求を信号送信してもよい。応答して、ＭＳＣ１１０は、メディアゲートウェイ１２２中に備えられた、ワイヤレスデバイスのＩＰ電話番号を取得して、このＩＰ電話番号を使用してＩＰネットワークを通してワイヤレスデバイス１００に対して通話する。次にＩＷＦ１２０は、ＩＰネットワーク１１８を通してワイヤレスデバイス１００をＭＳＣ１１０に接続する。適切なＳＭＳメッセージング、通話者ＩＤ、または、他の方法を使用して、ワイヤレスデバイスをＩＰネットワーク１１８に対してシームレスにハンドオフしてもよい。ハードハンドオフまたはソフトハンドオフのいずれが実行されるかに依拠して、セルラネットワーク１０２を通しての地上線電話機１２６とワイヤレスデバイス１００との間の接続が、ＩＰネットワーク１１８を通してのこの２つの間の接続が成立する前、または、成立した後に終了される。
【００２８】
ＭＳＣ１１０の１つの実施形態では、ワイヤレスデバイス１００とＭＳＣ１１０との間のセルラネットワークを通しての接続は、ＩＰネットワーク１１８を通したサービス品質が許容可能であることをメディアゲートウェイ１２２が決定するまでは終了されない。この実施形態では、メディアゲートウェイ１２２がサービス品質を決定する間、ワイヤレスデバイス１００はセルラネットワーク１０２およびＩＰネットワーク１１８の両方を通して、ＭＳＣ１１０に接続されたままでいる。ＶｏＩＰ通信では、例として、メディアゲートウェイはＩＰネットワーク１１８を通して、パケットの連続的な流れの分断ならびに／または遅延、ジッタ、およびパケット損失を監視してもよい。サービス品質が許容可能なレベルに到達するとき、メディアゲートウェイ１２２はＭＳＣ１１０に信号送信して、セルラネットワーク１０２を通しての地上線電話機１２６とワイヤレスデバイスとの間の接続を解放させる。いったん、このことが起こると、ＩＰネットワークを通しての地上線電話機１２６とワイヤレスデバイス１００との間のトラフィックはＭＳＣ１１０を通してルーティングされる。
【００２９】
図２は、通信システムの代替実施形態の概念ブロック図である。この実施形態では、（図１に関連して説明した）ＭＳＣ１１０、ＩＷＦ１２０、およびメディアゲートウェイ１２２の機能は、単一のＩＷＦ２００で実施される。ＩＷＦ２００は、セルラネットワーク１０２またはＩＰネットワーク１０２のいずれかを通して地上線電話機１２６のような遠隔通信デバイスに対してワイヤレスデバイス１００を接続する。１つのネットワークから他のネットワークに対するハンドオフが要求されるとき、ＩＷＦ２００は、ＰＳＴＮ１１２を通しての付加的回路に行く必要なく、他のネットワークに対して通話を単に切り替える。ハンドオフはＰＳＴＮ１１２を通しての何のシグナリングも要求しないので、セルラネットワーク１０２およびＩＰネットワーク１０２の両方を通して移動体デバイス１００にアクセスするために単一の電話番号を使用することができる。地上線電話機１２６のユーザがワイヤレスデバイスの電話番号にダイヤルするとき、ＰＳＴＮ１１２はＩＷＦ２００に対して通話をルーティングする。次にＩＷＦ２００は、特定の用途と、全体のシステムに課される設計制約によって異なっていてもよい１以上の要因に依拠して、セルラネットワーク１０２またはＩＰネットワーク１１８を通して、通話をルーティングするかどうか決定する。
【００３０】
通話がＩＰネットワーク１１８を通してルーティングされるとき、ＩＷＦ２００はＩＰネットワーク１１８を通してのサービス品質を監視し始める。ワイヤレスデバイスがワイヤレスＬＡＮ１１８のカバレッジ領域の外部に移動したため、または、サービス品質が許容不可能になったために、サービス品質が、あるレベルを下回るとき、ＩＷＦ２００はセルラネットワーク１０２に対するハンドオフを開始してもよい。何らかのイベントにおいて、図１に関連してより詳細に説明したような任意の数の方法で、サービス品質が監視されてもよい。ＶｏＩＰ通信では、例として、ＩＷＦ２００はパケットの連続的な流れの何らかの分断を監視してもよい。代わりに、または、追加的に、ＩＷＦ２００はＩＰネットワーク１１８を通しての遅延、ジッタ、および／またはパケット損失を監視してもよい。
【００３１】
ＩＷＦ２００は、ワイヤレスデバイス１００をページングするために、シグナリングメッセージをＢＴＳ１０８に送るようにＢＳＣ１０６を促すことにより、ＩＰネットワーク１１８からセルラネットワーク１０２に対する通話のハンドオフを開始する。ＳＭＳメッセージ、通話者ＩＤ、または、いくつかの他の方法を使用して、たとえ、ワイヤレスデバイス１００がＩＰネットワーク１１８を通して他の通話で現在話中であったとしても、ページに答えるようにワイヤレスデバイス１００に指示してもよく、ネットワーク間のシームレスな移行を確実にするために、ユーザに対してトランスペアレントである方法で、ページに答えるようにワイヤレスデバイス１００に指示する。ページに応答して、ワイヤレスデバイス１００は、適切なトラフィックを確立して、ＢＴＳ１０８とのチャネルを制御し、このことにより、ＩＷＦ２００が、ＩＰネットワーク１１８を通しての地上線電話機１２６とワイヤレスデバイス１００との間の現在の通話に対して、セルラネットワーク１０２を通してのワイヤレスデバイス１００を接続させることが可能になる。ハードハンドオフまたはソフトハンドオフのいずれが実行されるかに依拠して、セルラネットワーク１０２を通しての地上線電話機１２６とワイヤレスデバイス１００との間の接続が、ＩＰネットワーク１１８を通してのこの２つの間の接続が成立する前、または、成立した後に終了される。
【００３２】
代わりに、ＩＷＦ２００が、ＩＰネットワーク１１８を通してワイヤレスデバイス１００に対してシグナリングすることにより、ハンドオフを開始してもよい。シグナリングに応答して、ワイヤレスデバイス１００はＢＴＳ１０８とのトラフィックチャネルおよび制御チャネルを確立し、次に、セルラネットワーク１０２を通してＩＷＦ１２０との接続を確立する。ソフトハンドオフのケースでは、ＩＰネットワーク１１８を通しての地上線電話機１２６とワイヤレスデバイス１００との間の接続は、セルラネットワーク１０２を通してのこの２つの間の接続が成立した後に終了される。ハードハンドオフのケースでは、ＩＰネットワーク１１８を通しての地上線電話機１２６とワイヤレスデバイス１００との間の接続は、セルラネットワーク１０２を通してのこの２つの間の接続が成立する前に終了されてもよい。
【００３３】
図２に示した通信システムの代替実施形態では、ワイヤレスデバイス１００がハンドオフを開始してもよい。この実施形態では、ワイヤレスデバイス１００は、例として、信号強度、ビット誤り率、搬送波対干渉雑音比、等を含む１つ以上のパラメータを監視することにより、ワイヤレスリンクの品質を決定してもよい。ワイヤレスリンクの品質が許容不可能であることをワイヤレスデバイス１００が決定するとき、セルラネットワーク１０２を通してＩＷＦ２００においてワイヤレスデバイス１００が通話に接続される。ワイヤレスデバイス１００によりこの接続を開始してもよく、または、代わりに、ハンドオフを要求するワイヤレスデバイス１００からのシグナリングに応答して、ＩＷＦ２００により開始されてもよい。
【００３４】
地上線電話機１２６とワイヤレスデバイス１００との間のアクティブ通話は、セルラネットワーク１０２からＩＰネットワーク１１８に対してもハンドオフすることができる。この例では、ワイヤレスデバイス１００がワイヤレスＬＡＮ１１４のカバレッジ領域内に移動するとき、ワイヤレスデバイス１００はセルラネットワーク１０２を通して地上線電話機１２６に接続されてもよい。次に、ワイヤレスデバイス１００は、ＡＰ１１６とのワイヤレスリンクを確立し、ＩＰネットワーク１１８に対するアクセスを得る。次に、ワイヤレスデバイス１００は、ＩＷＦ２００によってＩＰネットワーク１１８を通して地上線電話機１２６に接続されてもよい。ハードハンドオフまたはソフトハンドオフのいずれが実行されるかに依拠して、セルラネットワーク１０２を通しての地上線電話機１２６とワイヤレスデバイス１００との間の接続が、ＩＰネットワーク１１８を通してのこの２つの間の接続が成立する前、または、成立した後のいずれかに終了される。
【００３５】
ＩＷＦ２００の１つの実施形態では、ＩＰネットワーク１１８を通してのサービス品質が許容可能であるとＩＷＦ２００が決定するまで、ワイヤレスデバイス１００と地上線電話機１２６との間のセルラネットワーク１０２を通しての接続は終了されない。この実施形態では、ＩＷＦ２００がＩＰネットワークのサービス品質を決定する間、ワイヤレスデバイス１００はセルラネットワーク１０２およびＩＰネットワーク１１８の両方を通して地上線電話機１２６と接続されたままでいる。ＶｏＩＰ通信では、例として、ＩＷＦ２００はＩＰネットワーク１１８を通して、パケットの連続的な流れの分断ならびに／または遅延、ジッタ、および損失パケットを監視する。サービス品質が許容可能なレベルに到達するとき、ＩＷＦ２００は、セルラネットワーク１０２を通してのワイヤレスデバイス１００と地上線電話機１２６との間の接続を終了させる。
【００３６】
図３は、セルラおよびＩＰネットワークを通して通信することができるワイヤレスデバイス１００の例を図示する機能ブロック図である。ワイヤレスデバイス１００はセルラトランシーバ３０２と、ワイヤレスＬＡＮトランシーバ３０４とを含んでいてもよい。ワイヤレスデバイス１００の少なくとも１つの実施形態では、セルラトランシーバ３０２は、（表示していない）ＢＴＳとのＣＤＭＡ２０００ １ｘ通信をサポートすることができ、ワイヤレスＬＡＮトランシーバ３０４は、（表示していない）ＡＰとのＷｉ−Ｆｉ通信をサポートすることができる。しかしながら、ワイヤレスデバイス１００に関連して説明した概念は、他のセルラおよびワイヤレスＬＡＮ技術に拡張できることを当業者は容易に理解するだろう。トランシーバ３０２、３０４を独立したエンティティとして説明したが、これらは単一のエンティティに統合されてもよく、または、ワイヤレスデバイス１００中の複数のエンティティにわたって拡散されていてもよい。トランシーバ３０２、３０４を独立したアンテナとともに示したが、トランシーバ３０２、３０４は、単一の広帯域アンテナを共有してもよい。
【００３７】
ワイヤレスデバイス１００は、また、トランシーバ３０２、３０４の両方に結合されたプロセッサ３０８とともに示したが、ワイヤレスデバイス１００の代替実施形態では、各トランシーバに対して別のプロセッサが使用されてもよい。プロセッサ３０８は、ハードウェア、ファームウェア、ソフトウェア、またはこれらの任意の組み合わせで実施してもよい。例として、プロセッサ３０８は、（表示していない）マイクロプロセッサを含んでいてもよい。マイクロプロセッサを使用して、ソフトウェアアプリケーションをサポートしてもよく、ソフトウェアアプリケーションは、特に、（１）セルラおよびＩＰネットワークに対するアクセスを制御および管理し、また、（２）キーパッド３１０、ディスプレイ３１２、および（表示していない）他のユーザインターフェイスに対してプロセッサ３０８をインターフェイスする。プロセッサ３０８は、ＣＤＭＡ適用のケースでは、拡散スペクトル処理のような、さまざまな信号処理機能をサポートする埋め込みソフトウェアレイヤを有する（表示していない）デジタルシグナルプロセッサ（ＤＳＰ）も含んでいてもよい。ＤＳＰは電話通信適用をサポートするボコーダ機能も実行してもよい。プロセッサ３０８は、マイクロプロセッサ、ＤＳＰ、および、プロセッサ３０８のさまざまなハードウェア構成部品の他のものによってアクセス可能な１つ以上の記憶デバイスとともに実施されるコンピュータ読取可能媒体を含んでいてもよい。コンピュータ読取可能媒体は、データ信号をエンコードする搬送波を含んでいてもよい。プロセッサ３０８が実現される方法は、特定の用途と、全体のシステムに課される設計制約とに依拠するだろう。これらの状況下でのハードウェア、ファームウェアおよびソフトウェア構成の相互互換性について、ならびに、各特定の用途に対して説明した機能をどのように実施するのが最良であるかについて、当業者は容易に理解するだろう。
【００３８】
図４は、ＩＷＦの機能ブロック図である。ＩＷＦは、図１に示したように、ＩＰネットワーク１１８に接続されたＩＷＦ１２０であってもよく、あるいは、セルラネットワーク１０２に接続されたＭＳＣ１１０であってもよい。代わりに、ＩＷＦは、図２に示したように、ＩＰネットワーク１１８およびＭＳＣ１１０の両方に接続されたＩＷＦ２００であってもよい。任意のイベントにおいて、ＩＷＦは、ＰＳＴＮ、ＩＰネットワーク、および、セルラネットワークにそれぞれインターフェイスするためのトランシーバ４０２、４０４、４０６を含む。プロセッサ４０８を使用して、トランシーバにより取り扱われるトラフィックを管理および制御してもよい。さらに、プロセッサ４０８は、ＩＰおよびセルラネットワーク間の通話のハンドオフを容易にする特定の機能を提供してもよく、これは、上でより詳細に説明したような３方向会議通話を提供することを含む。これらの機能は、個別または共有ハードウェア構成部品として、１つ以上のハードウェア構成部品上で稼動されるソフトウェアアプリケーションとして、あるいは、これらの任意の組み合わせとして実施されてもよい。例として、プロセッサ４０８は複数のソフトウェアアプリケーションをサポートするマイクロプロセッサとともに実現されてもよい。埋め込みソフトウェアレイヤを有するデジタルシグナルプロセッサ（ＤＳＰ）を使用して、１つ以上のプロセッサ機能の一部、または、すべてを実行することにより、マイクロプロセッサをサポートしてもよい。プロセッサ４０６は、単独で、あるいは、マイクロプロセッサおよび／またはＤＳＰと組み合わせてのいずれかの、１つ以上の他の構成部品を含んでいてもよい。コンピュータ読取可能媒体は、プロセッサ４０６のさまざまなハードウェア構成部品によりアクセス可能な１つ以上の記憶デバイスを含んでいてもよく、データ信号をエンコードする搬送波も含む。これらの状況下でのハードウェア、ファームウェアおよびソフトウェア構成の相互互換性について、ならびに、各特定の用途に対して説明した機能をどのように実施するのが最良であるかについて、当業者は容易に理解するだろう。
【００３９】
図５は、ワイヤレス通信デバイスの代替実施形態の機能ブロック図である。ワイヤレス通信デバイスは、セルラネットワークまたはＩＰネットワークを通しての遠隔通信デバイス５０２に対する通話をサポートする手段と、セルラネットワークとＩＰネットワーク５０４との間の通話をハンドオフする手段とを含む。
【００４０】
図６は、ＩＷＦの代替実施形態の機能ブロック図である。ＩＷＦは、セルラネットワークとＩＰネットワーク６０４との間でワイヤレスデバイスのハンドオフをサポートする手段と、セルラネットワークとＩＰネットワーク６０４との間でワイヤレス通信デバイスがハンドオフされるときに、ワイヤレス通信デバイスと通信デバイスの間で通話を維持する手段とを含む。
【００４１】
ここで開示した実施形態と関連して説明した、さまざまな例示のロジックブロック、モジュールおよび回路は、汎用プロセッサ、デジタルシグナルプロセッサ（ＤＳＰ）、特定用途向け集積回路（ＡＳＩＣ）、フィールドプログラム可能ゲートアレイ（ＦＰＧＡ）または他のプログラム可能ロジック構成部品、ディスクリートゲートまたはトランジスタロジック、ディスクリートハードウェア構成部品、あるいは、ここで述べてきた機能を実施するために設計されたこれらの任意の組み合わせで、実現されるか、あるいは、実施されてもよい。汎用プロセッサはマイクロプロセッサであってもよいが、代わりに、プロセッサは、何らかの従来のプロセッサ、制御装置、マイクロ制御装置、状態機械であってもよい。プロセッサはまた、コンピューティング構成部品の組み合わせとして、例えば、ＤＳＰとマイクロプロセッサの組み合わせ、複数のマイクロプロセッサ、ＤＳＰコアを備えた１つ以上のマイクロプロセッサ、あるいは、このような構成の他の任意のものとして実施してもよい。
【００４２】
ここで開示した実施形態と関連して説明した方法またはアルゴリズムは、ハードウェア中で直接、プロセッサによって実行されるソフトウェアモジュール中で、または、これら２つの組み合わせ中で具体化してもよい。ソフトウェアモジュールはＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または、当業者に知られている、他の任意の形態の記憶媒体中に存在してもよい。プロセッサが記憶媒体から情報を読み出すことができるように、および、記憶媒体に情報を書き込むことができるように、記憶媒体はプロセッサに結合されていてもよい。代わりに、記憶媒体はプロセッサに統合されていてもよい。
【００４３】
これまでの説明は、ここで説明したさまざまな実施形態を当業者が利用可能にするために提供した。これらの実施形態に対するさまざまな変更は、当業者にとって容易に明らかになり、ここで規定された包括的原則は、他の実施形態に適用し得ることが理解されるだろう。したがって、特許請求の範囲は、ここに示した実施形態に制限されることを意図しているものではなく、ここに開示した特許請求の範囲の文言と矛盾しない最も広い範囲にしたがうことを意図している。要素への単数での参照は、明示的に単数であると述べられていない限り、“１および１のみ”を意味することを意図しているのではなく、むしろ“１つ以上の”を意味することを意図している。当業者によって知られ、もしくは後に知られることとなる、本開示を通して説明したさまざまな実施形態のすべての構造的および機能的な均等物は、ここで参照により明示的に組み込まれ、本特許請求の範囲に含まれることとを意図している。さらに、この開示中のどの要素も、その開示が特許請求の範囲中に明示的に列挙されているか否かにかかわらず、公共に捧げられることを意図していない。ここに述べられたどの請求項の要素も、要素が“ミーンズフォー”という句を用いて明示的に列挙されない限り、もしくは方法の請求項のケースでは要素が “ステップフォー”という句を用いて明示的に列挙されない限り、３５Ｕ．Ｓ．Ｃ．１１２条第６パラグラフの条文のもとで解釈されるべきではない。
【図面の簡単な説明】
【００４４】
【図１】図１は、通信システムの実施形態の概念ブロック図である。
【図２】図２は、通信システムの代替実施形態の概念ブロック図である。
【図３】図３は、セルラおよびワイヤレスＬＡＮ通信の両方をサポートすることができるワイヤレスデバイスを図示する機能ブロック図である。
【図４】図４は、相互動作機能（ＩＷＦ）を図示する機能ブロック図である。
【図５】図５は、ワイヤレス通信デバイスの代替実施形態の機能ブロック図である。
【図６】図６は、ＩＷＦの代替実施形態の機能ブロック図である。
【図１】
2008541512.tif 000003
【図２】
2008541512.tif 000004
【図３】
2008541512.tif 000005
【図４】
2008541512.tif 000006
【図５】
2008541512.tif 000007
【図６】
2008541512.tif 000008
【国際調査報告】
2008541512.tif 000009
2008541512.tif 000010
2008541512.tif 000011